(57)【要約】【課題】  ユーザが必要とする通信の相手先との通信履歴を速やかに出力する。【解決手段】  通信端末は、通信の履歴を表わす情報を、通信の相手先を特定する関連付け番号に対応付けて記憶する履歴メモリ２１４と、関連付け番号とは異なりかつ通信の相手先に固有な電話番号を、関連付け番号に対応付けて記憶する電話帳メモリ２１３と、電話番号を受信するアンテナ２０１と、アンテナ２０１が受信した電話番号に対応する関連付け番号を検索し、自らが検索した関連付け番号に対応する通信の履歴を表わす情報を検索する制御部２１１と、制御部２１１が検索した通信の履歴を表わす情報を出力するディスプレイ１０２とを含む。【選択図】        図２
2006109328.tif 000002
【特許請求の範囲】
【請求項１】
通信の履歴を表わす情報を、前記通信の相手先を特定する第１の情報に対応付けて記憶するための第１の記憶手段と、
前記第１の情報とは異なりかつ前記通信の相手先に固有な第２の情報を、前記第１の情報に対応付けて記憶するための第２の記憶手段と、
前記第２の情報を受信するための受信手段と、
前記受信手段が受信した第２の情報に対応する第１の情報を検索するための第１の検索手段と、
前記第１の検索手段が検索した第１の情報に対応する通信の履歴を表わす情報を検索するための第２の検索手段と、
前記第２の検索手段が検索した通信の履歴を表わす情報を出力するための出力手段とを含む、出力装置。
【請求項２】
前記第１の情報は、前記第２の記憶手段が第２の情報を記憶するか否かを表わす情報を含み、
前記第１の検索手段は、前記第２の記憶手段が第２の情報を記憶していることを表わす情報であって前記第２の情報に対応する情報を検索するための手段を含む、請求項１に記載の出力装置。
【請求項３】
前記第２の記憶手段が第２の情報を記憶していることを表わす情報は、前記第２の記憶手段が前記相手先の電話番号を記憶していることを表わす情報を含む、請求項２に記載の出力装置。
【請求項４】
前記出力装置は、ユーザの指示を受付けるための受付手段をさらに含み、
前記出力手段は、前記受付手段が情報を出力すべき旨の情報を受付けると、前記通信の履歴を表わす情報を出力するための手段を含む、請求項１に記載の出力装置。
【請求項５】
前記出力装置は、
前記通信の履歴を表わす情報が対応する相手先の情報を受付けるための受付手段と、
前記通信の履歴を表わす情報が対応する第１の情報を、前記受付手段が受付けた情報に合致するように更新するための更新手段とをさらに含む、請求項１に記載の出力装置。
【請求項６】
前記出力装置は、前記第１の情報をユーザの意思から独立して決定するための決定手段をさらに含む、請求項１に記載の出力装置。
【請求項７】
通信の履歴を表わす情報を、前記通信の相手先を特定する第１の情報に対応付けて記憶するための第１の記憶手段と、
前記第１の情報とは異なりかつ前記通信の相手先に固有な第２の情報を、前記第１の情報に対応付けて記憶するための第２の記憶手段と、
前記通信の相手先と通信するための通信手段と、
ユーザの指示を受付けるための受付手段と、
前記第２の情報のうち前記受付手段が受付けた指示が表わす情報に対応する、第１の情報を検索するための第１の検索手段と、
前記第１の検索手段が検索した第１の情報に対応する通信の履歴を表わす情報を検索するための第２の検索手段と、
前記第２の検索手段が検索した通信の履歴を表わす情報を出力するための出力手段とを含む、出力装置。
【請求項８】
前記受付手段が受付ける指示は、前記第２の記憶手段が第２の情報を記憶した相手先との通話を開始すべき旨の指示を含む、請求項７に記載の出力装置。
【請求項９】
前記受付手段が受付ける指示は、複数の前記第２の情報のいずれかを出力すべき旨の指示を含み、
前記出力手段は、前記指示が表わす第２の情報と共に、前記通信の履歴を表わす情報を出力するための手段を含む、請求項７に記載の出力装置。
【請求項１０】
通信の履歴を表わす情報を、前記通信の相手先に固有の情報に対応付けて記憶するための記憶手段と、
前記相手先に固有の情報を受信するための受信手段と、
前記受信手段が受信した固有の情報に対応する通信の履歴を表わす情報を検索するための検索手段と、
前記検索手段が検索した通信の履歴を表わす情報を出力するための出力手段とを含む、出力装置。
【請求項１１】
通信の履歴を表わす情報を、前記通信の相手先に固有の情報に対応付けて記憶するための記憶手段と、
前記通信の相手先と通信するための通信手段と、
ユーザの指示を受付けるための受付手段と、
前記通信の履歴を表わす情報のうち、前記受付手段が受付けた指示が表わす固有の情報に対応する情報を検索するための検索手段と、
前記検索手段が検索した通信の履歴を表わす情報を出力するための出力手段とを含む、出力装置。
【請求項１２】
前記受付手段が受付ける指示は、前記通信の相手先との通話を開始すべき旨の、前記通信の相手先に固有の情報を伴う指示を含む、請求項１１に記載の出力装置。
【請求項１３】
通信の履歴を表わす情報を、前記通信の相手先を特定する第１の情報に対応付けて記憶する第１の記憶ステップと、
前記第１の情報とは異なりかつ前記通信の相手先に固有な第２の情報を、前記第１の情報に対応付けて記憶する第２の記憶ステップと、
前記第２の情報を受信する受信ステップと、
前記受信ステップにおいて受信した第２の情報に対応する第１の情報を検索する第１の検索ステップと、
前記第１の検索ステップにおいて検索した第１の情報に対応する通信の履歴を表わす情報を検索する第２の検索ステップと、
前記第２の検索ステップにおいて検索した通信の履歴を表わす情報を出力する出力ステップとを含む、出力方法。
【請求項１４】
通信の履歴を表わす情報を、前記通信の相手先を特定する第１の情報に対応付けて記憶する第１の記憶ステップと、
前記第１の情報とは異なりかつ前記通信の相手先に固有な第２の情報を、前記第１の情報に対応付けて記憶する第２の記憶ステップと、
前記通信の相手先と通信する通信ステップと、
ユーザの指示を受付ける受付ステップと、
前記第２の情報のうち前記受付ステップにおいて受付けた指示が表わす情報に対応する、第１の情報を検索する第１の検索ステップと、
前記第１の検索ステップにおいて検索した第１の情報に対応する通信の履歴を表わす情報を検索する第２の検索ステップと、
前記第２の検索ステップにおいて検索した通信の履歴を表わす情報を出力する出力ステップとを含む、出力方法。
【請求項１５】
通信の履歴を表わす情報を、前記通信の相手先に固有の情報に対応付けて記憶する記憶ステップと、
前記相手先に固有の情報を受信する受信ステップと、
前記受信ステップにおいて受信した固有の情報に対応する通信の履歴を表わす情報を検索する検索ステップと、
前記検索ステップにおいて検索した通信の履歴を表わす情報を出力する出力ステップとを含む、出力方法。
【請求項１６】
通信の履歴を表わす情報を、前記通信の相手先に固有の情報に対応付けて記憶する記憶ステップと、
前記通信の相手先と通信する通信ステップと、
ユーザの指示を受付ける受付ステップと、
前記通信の履歴を表わす情報のうち、前記受付ステップにおいて受付けた指示が表わす固有の情報に対応する情報を検索する検索ステップと、
前記検索ステップにおいて検索した通信の履歴を表わす情報を出力する出力ステップとを含む、出力方法。
【発明の詳細な説明】
【技術分野】
【０００１】
本発明は、出力装置および出力方法に関し、特に、通信履歴を表示できる出力装置および出力方法に関する。
【背景技術】
【０００２】
特許文献１に開示された電話装置は、文字データおよび制御データを入力するための入力装置と、通話履歴を表示するための表示装置と、在宅率を計算し通話履歴を更新するための更新装置と、通話履歴の読み出し書き込みが可能な記憶装置と、自動通話を行なうための通話装置を備え、通話装置を使って自動通話を行なった後に、通話相手が不在か在宅かを入力装置から更新装置に転送し、更新装置は受け取った在宅・不在情報をもとに在宅率を計算し、通話時間帯別に在宅率の高い順番に通話履歴をソートし、次の通話時にこの更新された通話履歴をもとに自動通話を行なう。
【０００３】
この発明によると、在宅率の高い相手から順次通話することにより、通話の成功率を高めることができる。
【０００４】
特許文献２に開示された電話装置は、電話回線を介して到来する交換機からの着信信号を検出して呼出音を出力する電話装置において、着信信号とともに交換機から送られてくる発信者の電話番号を受信する受信回路と、受信した発信者の電話番号を記憶する記憶回路と、所定の操作に基づいて記憶回路の電話番号を表示する表示装置とを備えたことを特徴とする。
【０００５】
この発明によると、留守中にかかってきた着信呼を識別可能にすると共に、このような着信呼に対して発信する場合、および着信に対する通話の終了後に再度同一相手へ発信する場合に相手番号を調べることなく発信可能にし、かつ着信の時刻およびこのときの発呼側の情報を着信に応答せずに記録できるようにして発呼側の通話料金を低減ことができる。
【０００６】
特許文献３に開示された管理装置は、端末を介して交換機に接続されている管理装置が、少なくとも電話番号と相手の名称と対応付けて記憶し、所望の電話番号を検索する機能を有する電子電話帳と、発信通話および着信通話の都度その通話の履歴を表わす情報を自動的に記録する履歴テーブルと、履歴テーブルに記録されている情報を電子電話帳に転送登録する登録装置とを備えていることを特徴とする。
【０００７】
この発明によると、通話履歴を記録することにより、電子電話帳への登録を容易にすることができる。
【０００８】
特許文献４に開示された電話装置は、サマータイムの下で用いられる電話装置において、この電話装置の利用者が利用を開始する時刻および利用を終了する時刻に基づいて、利用者の利用状況に関する情報を出力する出力装置を備え、この出力装置は、利用状況に関する情報を出力する際に、利用を開始する時刻における運用時刻と利用を終了する時刻における運用時刻とが異なる場合、運用時刻が切り替わっていることを示す情報をさらに出力することを特徴とする。
【０００９】
この発明によると、標準時からサマータイムへ切り替わる日、またはサマータイムから標準時へ切り替わる日において、通話履歴の表示および記録などを正確に行なうことができる。あわせて、これらの切り替えを利用者に容易に知らせることができる。
【００１０】
特許文献５に開示された表示方法では、通話中に操作される機能および通話の状態を逐次表示するとともに、その内容を記憶しておき、通話が終了した後に、指示に従って記憶されている内容を表示する。
【００１１】
この発明によると、通信していない状態、つまり待受け中であれば、発信履歴を表示することにより、リストから選択した相手への再発信に使用することができる。また着信履歴を表示させた場合、不在着信時の発信元の確認ができる。着信履歴で表示される情報を電話帳への登録などに利用できる。発信履歴あるいは着信履歴をリスト表示する機能を備えているためである。
【００１２】
しかしながら、特許文献１〜特許文献５に開示された発明では、ユーザが必要とする相手先との通信履歴を速やかに出力することが難しいという問題点がある。
【特許文献１】特開平５−３２７８５２号公報
【特許文献２】特開平８−２０４８１０号公報
【特許文献３】特開２０００−７８６２８号公報
【特許文献４】特開２００１−５１０８１号公報
【特許文献５】特開平１１−２０５４２３号公報
【発明の開示】
【発明が解決しようとする課題】
【００１３】
本発明は上述の問題点を解決するためになされたものであって、その目的は、ユーザが必要とする通信の相手先との通信履歴を速やかに出力できる出力装置および出力方法を提供することにある。
【課題を解決するための手段】
【００１４】
上記目的を達成するために、本発明のある局面にしたがうと、出力装置は、通信の履歴を表わす情報を、通信の相手先を特定する第１の情報に対応付けて記憶するための第１の記憶手段と、第１の情報とは異なりかつ通信の相手先に固有な第２の情報を、第１の情報に対応付けて記憶するための第２の記憶手段と、第２の情報を受信するための受信手段と、受信手段が受信した第２の情報に対応する第１の情報を検索するための第１の検索手段と、第１の検索手段が検索した第１の情報に対応する通信の履歴を表わす情報を検索するための第２の検索手段と、第２の検索手段が検索した通信の履歴を表わす情報を出力するための出力手段とを含む。
【００１５】
すなわち、第１の検索手段は、受信手段が受信した第２の情報に対応する第１の情報を検索する。第２の検索手段は、第１の検索手段が検索した第１の情報に対応する通信の履歴を表わす情報を検索する。出力手段は、第２の検索手段が検索した通信の履歴を表わす情報を出力する。これにより、受信手段が受信した通信の相手との通信履歴が出力される。その結果、ユーザが必要とする通信の相手先との通信履歴を速やかに出力できる出力装置を提供することができる。
【００１６】
また、上述の第１の情報は、第２の記憶手段が第２の情報を記憶するか否かを表わす情報を含むことが望ましい。第１の検索手段は、第２の記憶手段が第２の情報を記憶していることを表わす情報であって第２の情報に対応する情報を検索するための手段を含むことが望ましい。
【００１７】
すなわち、第２の検索手段は、第２の記憶手段が第２の情報を記憶するか否かを表わす情報に対応する通信の履歴を表わす情報を検索する。これにより、受信手段が受信した通信の相手との通信履歴をより速やかに出力することができる。その結果、ユーザが必要とする通信の相手先との通信履歴をより速やかに出力できる出力装置を提供することができる。
【００１８】
また、上述の第２の記憶手段が第２の情報を記憶していることを表わす情報は、第２の記憶手段が相手先の電話番号を記憶していることを表わす情報を含むことが望ましい。
【００１９】
すなわち、第２の検索手段は、通信の履歴を表わす情報のうち、第２の記憶手段が相手先の電話番号を記憶していることを表わす情報に対応する情報を検索する。これにより、受信手段が受信した通信の相手との通信履歴をさらに速やかに出力することができる。その結果、ユーザが必要とする通信の相手先との通信履歴をさらに速やかに出力できる出力装置を提供することができる。
【００２０】
また、上述の出力装置は、ユーザの指示を受付けるための受付手段をさらに含むことが望ましい。出力手段は、受付手段が情報を出力すべき旨の情報を受付けると、通信の履歴を表わす情報を出力するための手段を含むことが望ましい。
【００２１】
また、上述の出力装置は、通信の履歴を表わす情報が対応する相手先の情報を受付けるための受付手段と、通信の履歴を表わす情報が対応する第１の情報を、受付手段が受付けた情報に合致するように更新するための更新手段とをさらに含むことが望ましい。
【００２２】
すなわち、受付手段は、通信の履歴を表わす情報が対応する相手先の情報を受付ける。更新手段は、通信の履歴を表わす情報が対応する第１の情報を、受付手段が受付けた情報に合致するように更新する。第２の検索手段は、第１の検索手段が検索した第１の情報に対応しかつ更新手段が更新した情報を検索する。出力手段は、第２の検索手段が検索した通信の履歴を表わす情報を出力する。これにより、第１の記憶手段が記憶した通信の履歴を表わす情報と第２の記憶手段が記憶した第２の情報とが互いに異なる第１の情報に対応していても、同一の第１の情報に対応するとみなすように情報を更新できる。その結果、ユーザが必要とする通信の相手先のうち同一とみなす相手先との通信履歴を速やかに出力できる出力装置を提供することができる。
【００２３】
また、上述の出力装置は、第１の情報をユーザの意思から独立して決定するための決定手段をさらに含むことが望ましい。
【００２４】
本発明の他の局面にしたがうと、出力装置は、通信の履歴を表わす情報を、通信の相手先を特定する第１の情報に対応付けて記憶するための第１の記憶手段と、第１の情報とは異なりかつ通信の相手先に固有な第２の情報を、第１の情報に対応付けて記憶するための第２の記憶手段と、通信の相手先と通信するための通信手段と、ユーザの指示を受付けるための受付手段と、第２の情報のうち受付手段が受付けた指示が表わす情報に対応する、第１の情報を検索するための第１の検索手段と、第１の検索手段が検索した第１の情報に対応する通信の履歴を表わす情報を検索するための第２の検索手段と、第２の検索手段が検索した通信の履歴を表わす情報を出力するための出力手段とを含む。
【００２５】
すなわち、第１の検索手段は、第２の情報のうち受付手段が受付けた指示が表わす情報に対応する、第１の情報を検索する。第２の検索手段は、第１の検索手段が検索した第１の情報に対応する通信の履歴を表わす情報を検索する。出力手段は、第２の検索手段が検索した通信の履歴を表わす情報を出力する。これにより、受付手段が受付けた指示が表わす相手先との通信履歴が出力される。その結果、ユーザが必要とする通信の相手先との通信履歴を速やかに出力できる出力装置を提供することができる。
【００２６】
また、上述の受付手段が受付ける指示は、第２の記憶手段が第２の情報を記憶した相手先との通話を開始すべき旨の指示を含むことが望ましい。
【００２７】
すなわち、受付手段が受付ける指示は、第２の記憶手段が第２の情報を記憶した相手先との通話を開始すべき旨の指示を含む。これにより、通話の開始の際、相手先との通信履歴が出力される。その結果、ユーザが必要とする通信の相手先との通信履歴を的確かつ速やかに出力できる出力装置を提供することができる。
【００２８】
また、上述の受付手段が受付ける指示は、複数の第２の情報のいずれかを出力すべき旨の指示を含むことが望ましい。出力手段は、指示が表わす第２の情報と共に、通信の履歴を表わす情報を出力するための手段を含むことが望ましい。
【００２９】
すなわち、受付手段が受付ける指示は、複数の第２の情報のいずれかを出力すべき旨の指示を含む。これにより、第２の情報が出力される際、相手先との通信履歴が出力される。その結果、ユーザが必要とする通信の相手先との通信履歴を的確かつ速やかに出力できる出力装置を提供することができる。
【００３０】
本発明の他の局面にしたがうと、出力装置は、通信の履歴を表わす情報を、通信の相手先に固有の情報に対応付けて記憶するための記憶手段と、相手先に固有の情報を受信するための受信手段と、受信手段が受信した固有の情報に対応する通信の履歴を表わす情報を検索するための検索手段と、検索手段が検索した通信の履歴を表わす情報を出力するための出力手段とを含む。
【００３１】
すなわち、検索手段は、受信手段が受信した固有の情報に対応する通信の履歴を表わす情報を検索する。出力手段は、検索手段が検索した通信の履歴を表わす情報を出力する。これにより、受信手段が受信した通信の相手との通信履歴が出力される。その結果、ユーザが必要とする通信の相手先との通信履歴を速やかに出力できる出力装置を提供することができる。
【００３２】
本発明の他の局面にしたがうと、出力装置は、通信の履歴を表わす情報を、通信の相手先に固有の情報に対応付けて記憶するための記憶手段と、通信の相手先と通信するための通信手段と、ユーザの指示を受付けるための受付手段と、通信の履歴を表わす情報のうち、受付手段が受付けた指示が表わす固有の情報に対応する情報を検索するための検索手段と、検索手段が検索した通信の履歴を表わす情報を出力するための出力手段とを含む。
【００３３】
すなわち、検索手段は、通信の履歴を表わす情報のうち、受付手段が受付けた指示が表わす固有の情報に対応する情報を検索する。出力手段は、検索手段が検索した通信の履歴を表わす情報を出力する。これにより、受付手段が受付けた指示が表わす相手との通信履歴が出力される。その結果、ユーザが必要とする通信の相手先との通信履歴を速やかに出力できる出力装置を提供することができる。
【００３４】
また、上述の受付手段が受付ける指示は、通信の相手先との通話を開始すべき旨の、通信の相手先に固有の情報を伴う指示を含むことが望ましい。
【００３５】
すなわち、受付手段が受付ける指示は、通信の相手先との通話を開始すべき旨の、通信の相手先に固有の情報を伴う指示を含む。これにより、通話の開始の際、相手先との通信履歴が出力される。その結果、ユーザが必要とする通信の相手先との通信履歴を的確かつ速やかに出力できる出力装置を提供することができる。
【００３６】
上記目的を達成するために、本発明のある局面にしたがうと、出力方法は、通信の履歴を表わす情報を、通信の相手先を特定する第１の情報に対応付けて記憶する第１の記憶ステップと、第１の情報とは異なりかつ通信の相手先に固有な第２の情報を、第１の情報に対応付けて記憶する第２の記憶ステップと、第２の情報を受信する受信ステップと、受信ステップにおいて受信した第２の情報に対応する第１の情報を検索する第１の検索ステップと、第１の検索ステップにおいて検索した第１の情報に対応する通信の履歴を表わす情報を検索する第２の検索ステップと、第２の検索ステップにおいて検索した通信の履歴を表わす情報を出力する出力ステップとを含む。
【００３７】
すなわち、ユーザが必要とする通信の相手先との通信履歴を速やかに出力できる出力方法を提供することができる。
【００３８】
本発明の他の局面にしたがうと、出力方法は、通信の履歴を表わす情報を、通信の相手先を特定する第１の情報に対応付けて記憶する第１の記憶ステップと、第１の情報とは異なりかつ通信の相手先に固有な第２の情報を、第１の情報に対応付けて記憶する第２の記憶ステップと、通信の相手先と通信する通信ステップと、ユーザの指示を受付ける受付ステップと、第２の情報のうち受付ステップにおいて受付けた指示が表わす情報に対応する、第１の情報を検索する第１の検索ステップと、第１の検索ステップにおいて検索した第１の情報に対応する通信の履歴を表わす情報を検索する第２の検索ステップと、第２の検索ステップにおいて検索した通信の履歴を表わす情報を出力する出力ステップとを含む。
【００３９】
すなわち、ユーザが必要とする通信の相手先との通信履歴を速やかに出力できる出力方法を提供することができる。
【００４０】
本発明の他の局面にしたがうと、出力方法は、通信の履歴を表わす情報を、通信の相手先に固有の情報に対応付けて記憶する記憶ステップと、相手先に固有の情報を受信する受信ステップと、受信ステップにおいて受信した固有の情報に対応する通信の履歴を表わす情報を検索する検索ステップと、検索ステップにおいて検索した通信の履歴を表わす情報を出力する出力ステップとを含む。
【００４１】
すなわち、ユーザが必要とする通信の相手先との通信履歴を速やかに出力できる出力方法を提供することができる。
【００４２】
本発明の他の局面にしたがうと、出力方法は、通信の履歴を表わす情報を、通信の相手先に固有の情報に対応付けて記憶する記憶ステップと、通信の相手先と通信する通信ステップと、ユーザの指示を受付ける受付ステップと、通信の履歴を表わす情報のうち、受付ステップにおいて受付けた指示が表わす固有の情報に対応する情報を検索する検索ステップと、検索ステップにおいて検索した通信の履歴を表わす情報を出力する出力ステップとを含む。
【００４３】
すなわち、ユーザが必要とする通信の相手先との通信履歴を速やかに出力できる出力方法を提供することができる。
【発明の効果】
【００４４】
本発明に係る出力装置および出力方法は、ユーザが必要とする通信の相手先との通信履歴を速やかに出力できる。
【発明を実施するための最良の形態】
【００４５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００４６】
図１および図２を参照して、本実施の形態にかかる通信端末は、スピーカ１０１と、ディスプレイ１０２と、キーボード１０３と、マイク１０４と、アンテナ２０１と、ＲＦ（Radio Frequency）部２０２と、処理部２０３と、音声部２０４と、表示部２０７と、入力部２０９と、制御部２１１と、プログラムメモリ２１２と、電話帳メモリ２１３と、履歴メモリ２１４とを含む。図１は、本実施の形態にかかる通信端末の外観図である。本実施の形態にかかる通信端末は、表示装置がついた携帯電話である。図２は、本実施の形態にかかる通信端末の制御ブロック図である。スピーカ１０１は、音声部２０４が出力した信号を音声として出力する。ディスプレイ１０２は、情報を表示する。キーボード１０３は、ユーザの指示などを受付ける。マイク１０４は、音声を信号に変換する。アンテナ２０１は、通信の相手先に固有の情報である電話番号を電波として受信する。アンテナ２０１は、通信の相手先と通信する装置でもある。ＲＦ部２０２は、アンテナ２０１が受信した電波を処理部２０３が利用できる信号に変換する。処理部２０３は、信号に対して処理を施す。この処理は、情報を通信するための処理である。音声部２０４は、処理部２０３が利用できる信号とスピーカ１０１やマイク１０４が利用できる信号とを相互に変換する。表示部２０７は、処理部２０３が利用できる信号をディスプレイ１０２が利用できる信号に変換する。入力部２０９は、キーボード１０３が出力した信号を処理部２０３が利用できる信号に変換する。制御部２１１は、本実施の形態にかかる通信端末の各部を制御する。プログラムメモリ２１２は、本実施の形態にかかる通信端末を実現するためのプログラムを記憶する。電話帳メモリ２１３は、通信先の電話番号および電話番号に関連付けられた情報を記憶する。具体的な情報の内容は後述する。履歴メモリ２１４は、通信履歴などを記憶する。これも具体的な情報の内容は後述する。
【００４７】
図３を参照して、電話帳メモリ２１３が記憶する１組のデータは、データ番号３０１と、名前３０２と、電話番号３０３と、メールアドレス３０４と、その他の情報３０５と、カスタム設定３０６とを含む。データ番号３０１は、通し番号を表わす。この通し番号は、１組のデータ毎に定められた番号である。名前３０２は、通信先の氏名や名称を表わす。電話番号３０３は、通信先の電話番号を表わす。１組のデータに複数の電話番号３０３が含まれることがある。メールアドレス３０４は、通信先のメールアドレスを表わす。１組のデータに複数のメールアドレス３０４が含まれることがある。その他の情報３０５は、ユーザが任意に記憶させた情報を表わす。カスタム設定３０６は、通信先ごとに定められた設定（この設定はユーザが任意に定めることができる）を表わす。
【００４８】
図４を参照して、履歴メモリ２１４が記憶する１組のデータは、番号４０１と、発信および着信４０２と、開始時刻４０３と、継続時間４０４と、応答４０５と、関連付け番号４０６とを含む。この１組のデータは、発信または着信による通話後に終話したとき、発信に対して応答が無く呼出しを終了したとき、あるいは着信に対して応答する前に呼出しが終了したときに新規に記憶される。番号４０１は、次の情報のいずれかを表わす。その第１は、電話番号３０３が表わす電話番号である。第２は、キーボード１０３の数字キーで入力した電話番号である。第３は、着信時に通知される発信元の電話番号である。これにより、通信の履歴を表わす情報を、通信の相手先に固有の情報である電話番号に対応付けて記憶することとなる。第４は、電話番号が非通知であった旨の情報である。第５は、公衆電話からの着信である旨の情報である。発信および着信４０２は、発信および着信のいずれがあったのかを表わす。開始時刻４０３は、通信があった場合の、通信が開始された時刻を表わす。継続時間４０４は、次のいずれかの時間を表わす。その第１は、通信があった場合の、通信が継続された時間である。その第２は、呼び出しを継続した時間である。応答４０５は、着信に対する応答があったか否かを表わす。関連付け番号４０６は、次に説明する電話番号を表わす。電話帳メモリ２１３が記憶した電話番号を呼び出すことにより発信した場合、関連付け番号４０６は、電話帳メモリ２１３が記憶したデータ番号３０１のうち、呼び出された電話番号に対応するものと同じ内容を表わす。キーボード１０３の数字キーを用いることにより発信し、かつキーボード１０３が受付けた電話番号が電話帳メモリ２１３に記憶されている場合、関連付け番号４０６は、データ番号３０１が表わす番号のうち、キーボード１０３が受付けた電話番号に対応する番号を表わす。キーボード１０３の数字キーを用いることにより発信し、かつキーボード１０３が受付けた電話番号が電話帳メモリ２１３に記憶されていない場合、関連付け番号４０６は、データ番号３０１が表わす番号のうち、電話帳メモリ２１３にその電話番号が記憶されていない旨の情報を表わす。着信時に通知された番号が電話帳メモリ２１３に記憶されている場合、関連付け番号４０６は、データ番号３０１が表わす番号のうち、着信時に通知された電話番号に対応する番号を表わす。これにより、電話帳メモリ２１３は、関連付け番号４０６とは異なりかつ通信の相手先に固有の電話番号を、関連付け番号４０６に対応付けて記憶することとなる。それ以外の着信の場合、関連付け番号４０６は、電話帳メモリ２１３にその電話番号が記憶されていない旨の情報を表わす。これにより、関連付け番号４０６は、電話帳メモリ２１３が電話番号を記憶するか否かを表わす情報を含むこととなる。関連付け番号４０６は、制御部２１１により、ユーザの意思から独立して決定される。
【００４９】
図５および図６を参照して、本実施の形態にかかる通信端末で実行されるプログラムは、通信履歴の記憶に関し、以下のような制御構造を有する。
【００５０】
ステップ５００（以下、ステップをＳと略す。）にて、処理部２０３が信号を処理すると、制御部２１１は、電話帳メモリ２１３に記憶された電話番号３０３から、通話先の電話番号を検索する。これにより、通信先が電話帳メモリ２１３に記憶されているか否か、通信履歴のデータを作成する以前に判断される。この点は一般的な携帯電話と同様である。番号が検索されると、制御部２１１は、処理部２０３が着信のために信号を処理したか否かを判断する。着信のために信号を処理したと判断した場合（Ｓ５００にてＹＥＳ）、処理はＳ５０２へと移される。もしそうでないと（Ｓ５００にてＮＯ）、処理はＳ５２６へと移される。
【００５１】
Ｓ５０２にて、履歴メモリ２１４は、番号４０１として、発信元の電話番号を記憶する。発信元の電話番号は、アンテナ２０１が受信した番号である。アンテナ２０１が受信した番号は、相手先に固有の情報である。Ｓ５０４にて、履歴メモリ２１４は、発信および着信４０２として、着信があった旨の情報を記憶する。Ｓ５０６にて、履歴メモリ２１４は、開始時刻４０３として、着信があった時刻を記憶する。
【００５２】
Ｓ５０７にて、制御部２１１は、電話帳メモリ２１３が記憶した電話番号３０３の中から、発信元の電話番号を検索する。発信元の電話番号に一致する番号が電話帳メモリ２１３に記憶されていた場合、制御部２１１は、電話帳メモリ２１３が記憶したデータ番号３０１および名前３０２のうち、発信元の電話番号に対応するデータを読出す。データが読出されると、制御部２１１は、履歴メモリ２１４が記憶した関連付け番号４０６のうち（ただし対応する発信および着信４０２が、着信があった旨を表わすものに限る）、発信元に対応するデータ番号３０１と一致するものを検索する。このようにして、制御部２１１は、アンテナ２０１が受信した電話番号に対応する関連付け番号４０６（具体的には、電話帳メモリ２１３が相手先の電話番号を記憶していることを表わす情報であってアンテナ２０１が受信した電話番号に対応するもの）を検索する。検索が終了すると、制御部２１１は、自らが検索した関連付け番号４０６に対応する通信の履歴を表わす情報を検索する。情報が検索されると、制御部２１１は、発信元の電話番号を表示部２０７に出力する。その番号が電話帳メモリ２１３に記憶されている場合、発信元の氏名や名称（名前３０２が表わすデータ）も同時に出力する。その番号に対応する通信履歴が履歴メモリ２１４に記憶されている場合、通信履歴のデータも同時に出力する。ただし通信履歴はキーボード１０３が通信履歴を表示させる旨の指示を受付けた後に出力される。表示部２０７は、ディスプレイ１０２に電話番号、氏名など、および通信履歴を出力する。ディスプレイ１０２は、電話番号、氏名など、および通信履歴を表示する。これにより、ディスプレイ１０２によって、制御部２１１が検索した通信の履歴を表わす情報が出力される。ディスプレイ１０２は、キーボード１０３が情報を出力すべき旨の情報を受付けると、通信の履歴を表わす情報を出力する。発信元の電話番号に一致する番号が電話帳メモリ２１３に記憶されていない場合、制御部２１１は、履歴メモリ２１４が記憶した情報のうち、アンテナ２０１が受信した電話番号に対応する通信の履歴を表わす情報を検索する。情報が検索されると、ディスプレイ１０２は、制御部２１１が検索した通信の履歴を表わす情報（この情報は表示部２０７を介して出力される）を出力する。本実施の形態の場合、通信履歴は開始時刻が最近のものから順にリスト表示される。制御部２１１は、通信履歴を文字で表わすかアイコンなどの画像で表わすかを制御する。文字で表わすかアイコンなどで表わすかは、ディスプレイ１０２の表示エリアの大きさに合わせて選択される。通信履歴のデータの量が任意に定められたしきい値を超えると制御部２１１が判断した場合、制御部２１１は通信履歴をスクロール表示させる。この場合、キーボード１０３がスクロールする旨の指示を受付けると、表示がスクロールする。
【００５３】
Ｓ５０８にて、制御部２１１は、着信に応答したか否かを判断する。この判断は、キーボード１０３のうち、通話を開始するためのキーが押されたか否かに基づいてなされる。着信に応答したと判断した場合（Ｓ５０８にてＹＥＳ）、処理はＳ５１０へと移される。もしそうでないと（Ｓ５０８にてＮＯ）、処理はＳ５１４へと移される。
【００５４】
Ｓ５１０にて、通話が終了した後、履歴メモリ２１４は、継続時間４０４として、通信が継続された時間を記憶する。Ｓ５１２にて、履歴メモリ２１４は、応答４０５として、応答があった旨の情報を記憶する。
【００５５】
Ｓ５１４にて、履歴メモリ２１４は、継続時間４０４として、呼出しが継続された時間を記憶する。Ｓ５１６にて、履歴メモリ２１４は、応答４０５として、応答がなかった旨の情報を記憶する。
【００５６】
Ｓ５１８にて、制御部２１１は、発信元の電話番号が電話帳メモリ２１３に記憶されているか否かを判断する。電話帳メモリ２１３に記憶されていると判断した場合（Ｓ５１８にてＹＥＳ）、処理はＳ５２０へと移される。もしそうでないと（Ｓ５１８にてＮＯ）、処理はＳ５２４へと移される。
【００５７】
Ｓ５２０にて、履歴メモリ２１４は、関連付け番号４０６として、電話帳メモリ２１３が記憶したデータ番号３０１のうち、Ｓ５０２にて記憶した電話番号に対応する番号を記憶する。Ｓ５０２〜Ｓ５２０の処理により、履歴メモリ２１４は、通信の履歴を表わす開始時刻４０３および継続時間４０４といった情報を、通信の相手先を特定する関連付け番号４０６に対応付けて記憶することとなる。
【００５８】
Ｓ５２２にて、制御部２１１は、番号４０１、発信および着信４０２、開始時刻４０３、継続時間４０４、および応答４０５が表わすデータを関連付けるように、履歴メモリ２１４を制御する。これにより、番号４０１、発信および着信４０２、開始時刻４０３、継続時間４０４、および応答４０５が表わすデータは、通信履歴を表わすデータとして履歴メモリ２１４に記憶されることとなる。
【００５９】
Ｓ５２４にて、履歴メモリ２１４は、関連付け番号４０６として、電話帳メモリ２１３に、Ｓ５０２にて記憶した電話番号に対応する番号が記憶されていない旨の情報を記憶する。
【００６０】
Ｓ５２６にて、履歴メモリ２１４は、番号４０１として、発信先の電話番号を記憶する。発信先の電話番号は、キーボード１０３が受付けた番号である。Ｓ５２８にて、履歴メモリ２１４は、発信および着信４０２として、発信があった旨の情報を記憶する。Ｓ５３０にて、履歴メモリ２１４は、開始時刻４０３として、発信があった時刻を記憶する。
【００６１】
Ｓ５３１にて、制御部２１１は、電話帳メモリ２１３が記憶した電話番号３０３の中から、発信先の電話番号を検索する。発信先は、ユーザからの指示（本実施の形態において、この指示は次の２種類の指示のいずれかを含む。第１の指示は、電話帳メモリ２１３が電話番号を記憶した相手先との通話を開始すべき旨の指示である。第２の指示は、キーボード１０３が受付けた電話番号が表わす相手先との通話を開始すべき旨の指示である。この場合、第２の指示は通信の相手先の電話番号を伴うこととなる。）として、予めキーボード１０３が受付けている。発信先の電話番号に一致する番号が電話帳メモリ２１３に記憶されていた場合、制御部２１１は、電話帳メモリ２１３が記憶したデータ番号３０１および名前３０２のうち、発信先の電話番号に対応するデータを読出す。データが読出されると、制御部２１１は、履歴メモリ２１４が記憶した関連付け番号４０６のうち（ただし対応する発信および着信４０２が、発信があった旨を表わすものに限る）、発信先に対応するデータ番号３０１と一致するものを検索する。これにより、制御部２１１は、電話番号のうちキーボード１０３が受付けた指示が表わす情報に対応する、関連付け番号４０６を検索することとなる。検索が終了すると、制御部２１１は、自らが検索した関連付け番号４０６に対応する通信の履歴を表わす情報を検索する。検索が終了すると、制御部２１１は、発信先の電話番号を表示部２０７に出力する。その番号が電話帳メモリ２１３に記憶されている場合、発信先の氏名や名称（名前３０２が表わすデータ）も同時に出力する。その番号に対応する通信履歴が履歴メモリ２１４に記憶されている場合、通信履歴のデータも同時に出力する。ただし通信履歴はキーボード１０３が通信履歴を表示させる旨の入力を受付けた後に出力される。表示部２０７は、ディスプレイ１０２に電話番号、氏名など、および通信履歴を出力する。ディスプレイ１０２は、電話番号、氏名など、および通信履歴を表示する。これにより、ディスプレイ１０２は、制御部２１１が検索した通信の履歴を表わす情報を出力することとなる。発信元の電話番号に一致する番号が電話帳メモリ２１３に記憶されていない場合、制御部２１１は、履歴メモリ２１４が記憶した通信の履歴を表わす情報のうち、電話番号（この場合、キーボード１０３が受付けた指示が表わす電話番号）に対応する情報を検索する。情報が検索されると、ディスプレイ１０２は、制御部２１１が検索した通信の履歴を表わす情報（この情報は表示部２０７を介して出力される）を出力する。本実施の形態の場合、通信履歴は開始時刻が最近のものから順にリスト表示される。制御部２１１は、通信履歴を文字で表わすかアイコンなどの画像で表わすかを制御する。文字で表わすかアイコンなどで表わすかは、ディスプレイ１０２の表示エリアの大きさに合わせて選択される。通信履歴のデータの量が任意に定められたしきい値を超えると制御部２１１が判断した場合、制御部２１１は通信履歴をスクロール表示させる。この場合、キーボード１０３がスクロールする旨の入力を受付けると、表示がスクロールする。
【００６２】
Ｓ５３２にて、制御部２１１は、発信先が応答したか否かを判断する。この判断は、応答があった旨の信号をアンテナ２０１が受信したか否かに基づいてなされる。発信先が応答したと判断した場合（Ｓ５３２にてＹＥＳ）、処理はＳ５３４へと移される。もしそうでないと（Ｓ５３２にてＮＯ）、処理はＳ５３８へと移される。
【００６３】
Ｓ５３４にて、通話が終了した後、履歴メモリ２１４は、継続時間４０４として、通信が継続された時間を記憶する。Ｓ５３６にて、履歴メモリ２１４は、応答４０５として、応答があった旨の情報を記憶する。
【００６４】
Ｓ５３８にて、履歴メモリ２１４は、継続時間４０４として、呼出しが継続された時間を記憶する。Ｓ５４０にて、履歴メモリ２１４は、応答４０５として、応答がなかった旨の情報を記憶する。
【００６５】
Ｓ５４２にて、制御部２１１は、発信先の電話番号が電話帳メモリ２１３に記憶されているか否かを判断する。電話帳メモリ２１３に記憶されていると判断した場合（Ｓ５４２にてＹＥＳ）、処理はＳ５４４へと移される。もしそうでないと（Ｓ５４２にてＮＯ）、処理はＳ５４６へと移される。
【００６６】
Ｓ５４４にて、履歴メモリ２１４は、関連付け番号４０６として、電話帳メモリ２１３が記憶したデータ番号３０１のうち、Ｓ５２６にて記憶した電話番号に対応する番号を記憶する。
【００６７】
Ｓ５４６にて、履歴メモリ２１４は、関連付け番号４０６として、Ｓ５２６にて記憶した電話番号に対応する番号が電話帳メモリ２１３に記憶されていない旨の情報を記憶する。
【００６８】
図７を参照して、本実施の形態にかかる通信端末で実行されるプログラムは、電話帳メモリ２１３に記憶されたデータの表示に関し、以下のような制御構造を有する。
【００６９】
Ｓ５５０にて、キーボード１０３はユーザからの指示を受付ける。受付けられた指示は、入力部２０９により制御部２１１が利用できる信号に変換され、制御部２１１に出力される。
【００７０】
Ｓ５５２にて、制御部２１１は、キーボード１０３が受付けた入力が電話帳メモリ２１３に記憶されたデータ（電話帳データ）の表示を命令するものか否かを判断する。電話帳データの表示を命令するものと判断した場合（Ｓ５５２にてＹＥＳ）、処理はＳ５５４へと移される。もしそうでないと（Ｓ５５２にてＮＯ）、処理は終了する。
【００７１】
Ｓ５５４にて、キーボード１０３はユーザから頭文字の入力を受付ける。Ｓ５５６にて、制御部２１１は、名前３０２のうち、頭文字がユーザにより入力された文字に一致するデータをディスプレイ１０２に表示させる。Ｓ５５８にて、キーボード１０３はユーザから表示させるデータに対応する名前３０２の指定を受付ける。Ｓ５６０にて、キーボード１０３はユーザから表示させるデータの種別の指定を受付ける。
【００７２】
Ｓ５６２にて、制御部２１１は、キーボード１０３が受付けたデータの種別の指定が通信履歴の表示を伴う旨の指定か否かを判断する。通信履歴の表示を伴う旨の指定と判断した場合（Ｓ５６２にてＹＥＳ）、処理はＳ５６４へと移される。もしそうでないと（Ｓ５６２にてＮＯ）、処理はＳ５６６へと移される。
【００７３】
Ｓ５６４にて、制御部２１１は、履歴メモリ２１４が記憶するデータのうち、関連付け番号４０６の内容が、Ｓ５５８にて指定された名前３０２に対応するデータ番号３０１の内容に一致するデータを読出す。データが読出されると、制御部２１１は、表示部２０７を介し、読出されたデータとキーボード１０３が受付けた指定に応じたデータとをディスプレイ１０２に表示させる。Ｓ５６６にて、制御部２１１は、キーボード１０３が受付けた指定に応じたデータをディスプレイ１０２に表示させる。Ｓ５６８にて、キーボード１０３はユーザから入力を受付ける。
【００７４】
Ｓ５７０にて、制御部２１１は、キーボード１０３が受付けた入力が電話帳データの表示の終了を表わすか否かを判断する。電話帳データの表示の終了を表わすと判断した場合（Ｓ５７０にてＹＥＳ）、処理は終了する。もしそうでないと（Ｓ５７０にてＮＯ）、処理はＳ５７２へと移される。Ｓ５７２にて、制御部２１１は、キーボード１０３が受付けた入力に応じた処理を実施する。
【００７５】
以上のような構造およびフローチャートに基づく、通信端末の動作について説明する。
【００７６】
［電話帳に登録済みである相手からの着信に応答し、通話が終了した場合］
制御部２１１は、処理部２０３が着信のために信号を処理したか否かを判断する（Ｓ５０１）。着信のために信号を処理したと判断されると（Ｓ５００にてＹＥＳ）、履歴メモリ２１４は、番号４０１として、発信元の電話番号を連絡先の番号として記憶する（Ｓ５０２）。番号が記憶されると、履歴メモリ２１４は、発信および着信４０２として、着信があった旨の情報を記憶する（Ｓ５０４）。情報が記憶されると、履歴メモリ２１４は、開始時刻４０３として、着信があった時刻を記憶する（Ｓ５０６）。時刻が記憶されると、ディスプレイ１０２は、電話番号、氏名など、および通信履歴を表示する（Ｓ５０７）。図８に、このときのディスプレイ１０２の内容を示す。通信履歴などが表示されると、制御部２１１は、着信に応答したか否かを判断する（Ｓ５０８）。この場合、着信に応答したと判断されるので（Ｓ５０８にてＹＥＳ）、履歴メモリ２１４は、継続時間４０４として、通信が継続された時間を記憶する（Ｓ５１０）。時間が記憶されると、履歴メモリ２１４は、応答４０５として、応答があった旨の情報を記憶する（Ｓ５１２）。情報が記憶されると、制御部２１１は、発信元の電話番号が電話帳メモリ２１３に記憶されているか否かを判断する（Ｓ５１８）。この場合、電話帳メモリ２１３に記憶されているので（Ｓ５１８にてＹＥＳ）、履歴メモリ２１４は、関連付け番号４０６として、電話帳メモリ２１３が記憶したデータ番号３０１のうち、Ｓ５０２にて記憶した電話番号に対応する番号を記憶する（Ｓ５２０）。番号が記憶されると、制御部２１１は、番号４０１、発信および着信４０２、開始時刻４０３、継続時間４０４、および応答４０５が表わすデータを、通信履歴を表わすデータとして履歴メモリ２１４に記憶させる（Ｓ５２２）。
【００７７】
［電話帳に登録しておらず、かつ過去に発信したことがある相手への発信で番号を手動で入力し、相手が応答せず終話した場合］
制御部２１１は、処理部２０３が着信のために信号を処理したか否かを判断する（Ｓ５０１）。発信のために信号を処理したと判断されるので（Ｓ５００にてＮＯ）、履歴メモリ２１４は、番号４０１として、キーボード１０３が受付けた電話番号を記憶する（Ｓ５２６）。番号が記憶されると、履歴メモリ２１４は、発信および着信４０２として、発信があった旨の情報を記憶する（Ｓ５２８）。情報が記憶されると、履歴メモリ２１４は、開始時刻４０３として、発信があった時刻を記憶する（Ｓ５３０）。時刻が記憶されると、ディスプレイ１０２は、電話番号、氏名など、および通信履歴を表示する（Ｓ５３１）。図９に、このときのディスプレイ１０２の内容を示す。通信履歴などが表示されると、制御部２１１は、発信先が応答したか否かを判断する（Ｓ５３２）。この場合、発信先が応答しなかったので（Ｓ５３２にてＹＥＳ）、履歴メモリ２１４は、継続時間４０４として、呼出しが継続された時間を記憶する（Ｓ５３８）。時間が記憶されると、履歴メモリ２１４は、応答４０５として、応答がなかった旨の情報を記憶する（Ｓ５４０）。情報が記憶されると、制御部２１１は、発信先の電話番号が電話帳メモリ２１３に記憶されているか否かを判断する（Ｓ５４２）。この場合、電話帳メモリ２１３に記憶されていないので（Ｓ５４２にてＮＯ）、履歴メモリ２１４は、関連付け番号４０６として、Ｓ５２６にて記憶した電話番号に対応する番号が電話帳メモリ２１３に記憶されていない旨の情報を記憶する（Ｓ５４６）。
【００７８】
［電話帳メモリに記憶されたデータとともに、通信履歴を表示させる場合］
キーボード１０３はユーザからの指示を受付ける（Ｓ５５０）。この場合、キーボード１０３が受付ける指示は、複数の電話番号のいずれかを出力すべき旨の指示である。指示が受付けられると、制御部２１１は、キーボード１０３が受付けた入力が電話帳データの表示を命令するものか否かを判断する（Ｓ５５２）。この場合、電話帳データの表示を命令するものと判断されるので（Ｓ５５２にてＹＥＳ）、キーボード１０３はユーザから頭文字の入力を受付ける（Ｓ５５４）。入力が受付けられると、制御部２１１は、名前３０２のうち、頭文字がユーザにより入力された文字に一致するデータをディスプレイ１０２に表示させる（Ｓ５５６）。データが表示されると、キーボード１０３はユーザから表示させるデータに対応する名前３０２の指定を受付ける（Ｓ５５８）。指定が受付けられると、キーボード１０３はユーザから表示させるデータの種別の指定を受付ける（Ｓ５６０）。指定が受付けられると、制御部２１１は、キーボード１０３が受付けたデータの種別の指定が通信履歴の表示を伴う旨の指定か否かを判断する（Ｓ５６２）。通信履歴の表示を伴う旨の指定とすると（Ｓ５６２にてＹＥＳ）、制御部２１１は、履歴メモリ２１４が記憶するデータのうち、関連付け番号４０６の内容が、Ｓ５５８にて指定された名前３０２に対応するデータ番号３０１の内容に一致するデータを読出す。データが読出されると、制御部２１１は、表示部２０７を介し、読出されたデータ（通信履歴）とキーボード１０３が受付けた指示に応じたデータとをディスプレイ１０２に表示させる（Ｓ５６４）。これにより、ディスプレイ１０２は、Ｓ５５０にてキーボード１０３が複数の電話番号のいずれかを出力すべき旨の指示を受付けると、キーボード１０３が受付けた指示が表わす電話番号と共に、指示が表わす電話番号に対応する、通信の履歴を表わす情報を出力することとなる。通信履歴などが表示されると、キーボード１０３はユーザから入力を受付ける（Ｓ５６８）。入力が受付けられると、制御部２１１は、キーボード１０３が受付けた入力が電話帳データの表示の終了を表わすか否かを判断する（Ｓ５７０）。当初、電話帳データの表示の終了を表わすものではないため（Ｓ５７０にてＮＯ）、制御部２１１は、キーボード１０３が受付けた入力に応じた処理を実施する（Ｓ５７２）。その後、Ｓ５６０〜Ｓ５６８の処理を経て、制御部２１１は、キーボード１０３が受付けた入力が電話帳データの表示の終了を表わすか否かを判断する（Ｓ５７０）。電話帳データの表示の終了を表わすと判断した場合（Ｓ５７０にてＹＥＳ）、処理は終了する。
【００７９】
以上のようにして、本案施の形態に係る通信端末は、通信履歴として電話帳メモリに記憶されたデータと関連付けるための関連付け番号を付加する。電話帳メモリに記憶されたデータを参照するときには、関連付けられている通信履歴を表示することができる。また、着信時には、発信元の電話番号が電話帳メモリに記憶されている場合、その電話番号と関連付けられている通信履歴を表示する。また、電話帳メモリに記憶されていない相手に対して、発信先の番号を入力して発信する場合であっても、通話履歴の電話番号を検索することにより、同一の相手として通信履歴を表示できる。また、電話帳メモリに記憶されていない相手から着信があった場合であっても、通話履歴の電話番号を検索することにより、同一の相手として通信履歴を表示できる。これにより、発信する前や着信に対して応答する前に通信先との通話の履歴が確認できる。履歴が確認されると、相手との用件について色々と想起することができる。従来、ある相手と過去にどのような通信を行なったかを知るためには、通信履歴のリストすべての中から必要な情報を拾い出さなければならなかった。通信の相手が限定されたリストを表示させることはできなかった。相手の指定を受付けるよりもすべての通信履歴を表示させることが効率的であったためである。また、通信履歴のリストの表示は待受け中に表示できるものであった。着信時に発信元との過去の通信履歴を参照することはできなかった。着信時にその発信元といつどのような通信を行なっていたかは、ユーザ自身の記憶に頼る以外になかった。本案施の形態に係る通信端末は、履歴が確認できるので、用件についての配慮や応答するかどうかを検討できる。その結果、相手との通信履歴を速やかに出力できる通信端末を提供できる。その上、本案施の形態に係る通信端末は、電話帳データの確認時にも、関連付けられている通信履歴を表示できる。これにより、登録されている任意の相手との通信履歴をいつでも確認できる。
【００８０】
なお、Ｓ５０７およびＳ５３１にて、制御部２１１は、キーボード１０３が通信履歴を表示させる旨の入力を受付けるか否かに関わらず、通信履歴のデータを出力してもよい。
【００８１】
また、Ｓ５０７およびＳ５３１にて、制御部２１１は、対応する発信および着信４０２が、発信があった旨を表わすものか否かに関わらず、履歴メモリ２１４が記憶した関連付け番号４０６のうち発信先に対応するデータ番号３０１と一致するものを検索してもよい。
【００８２】
また、Ｓ５６２〜Ｓ５６６にて、通信履歴の表示を伴う旨の判断を待つことなく通信履歴を自動的に表示させてもよい。
【００８３】
また、制御部２１１は、通信の履歴を表わす情報が対応する関連付け番号４０６を、キーボード１０３が受付けた情報に合致するように更新するものであってもよい。この場合、キーボード１０３は、通信の履歴を表わす情報が対応する関連付け番号４０６（関連付け番号４０６ではなく、電話帳メモリ２１３に記憶された電話番号３０３などの、相手先の情報であってもよい）を受付ける。これにより、電話帳メモリ２１３に記憶されている相手が、電話帳メモリ２１３に記憶されているものとは別の通信端末や公衆電話などで通話した場合の通信履歴でも、同一の通話相手として関連付けることができる。
【００８４】
また、上述の通信端末がファクシミリへの送信やデータ通信を実施できる場合、応答４０５は、その旨を表わす情報を記憶することがあるものであってもよい。
【００８５】
また、上述の通信端末は、ＰＤＡ（Personal Digital Assistant）や加入者線に接続するファクシミリなどの有線の電話機であってもよい。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８７】
【図１】本発明の実施の形態にかかる通信端末の外観図である。
【図２】本発明の実施の形態にかかる通信端末の制御ブロック図である。
【図３】本発明の実施の形態にかかる電話帳メモリが記憶するデータを表わす図である。
【図４】本発明の実施の形態にかかる履歴メモリが記憶するデータを表わす図である。
【図５】本発明の実施の形態に係る通信履歴の記憶処理の制御の手順を示すフローチャート（その１）である。
【図６】本発明の実施の形態に係る通信履歴の記憶処理の制御の手順を示すフローチャート（その２）である。
【図７】本発明の実施の形態に係る電話帳メモリに記憶されたデータの表示処理の制御の手順を示すフローチャートである。
【図８】本発明の実施の形態に係るディスプレイの内容を示す図（その１）である。
【図９】本発明の実施の形態に係るディスプレイの内容を示す図（その２）である。
【符号の説明】
【００８８】
１０１  スピーカ、１０２  ディスプレイ、１０３  キーボード、１０４  マイク、２０１  アンテナ、２０２  ＲＦ部、２０３  処理部、２０４  音声部、２０７  表示部、２０９  入力部、２１１  制御部、２１２  プログラムメモリ、２１３  電話帳メモリ、２１４  履歴メモリ、３０１  データ番号、３０２  名前、３０３  電話番号、３０４  メールアドレス、３０５  その他の情報、３０６  カスタム設定、４０１  番号、４０２  発信および着信、４０３  開始時刻、４０４  継続時間、４０５  応答、４０６  関連付け番号。
【図１】
2006109328.tif 000003
【図２】
2006109328.tif 000004
【図３】
2006109328.tif 000005
【図４】
2006109328.tif 000006
【図５】
2006109328.tif 000007
【図６】
2006109328.tif 000008
【図７】
2006109328.tif 000009
【図８】
2006109328.tif 000010
【図９】
2006109328.tif 000011